(57)【特許請求の範囲】
【請求項１】
主幹ブレーカと、主幹ブレーカの二次側に接続された主幹電路から分岐して電気機器に電力を供給する分岐電路に個別に設けられるとともに所定の配列方向に沿って並べられた複数の分岐ブレーカと、分岐ブレーカを介して電気機器に供給される電流値を複数の分岐ブレーカ毎に計測する計測手段と、複数の分岐ブレーカそれぞれの通電状態の表示に用いられる複数の表示灯をケースに収納してなる通電表示部と、計測手段で得られた各電流値に基づいて複数の表示灯それぞれの点灯制御を行う制御部とがキャビネットに収納され、
キャビネットは、上記配列方向を左右方向に沿わせた形で造営材に取り付けられ、
通電表示部は、キャビネット内において分岐ブレーカの下側に配置され、
通電表示部のケースの上側面は、前方にいくほど下側面との距離が短くなる形に傾斜した傾斜面からなることを特徴とする分電盤。
【発明の詳細な説明】
【技術分野】
【０００１】
本発明は、分電盤、特に住宅内に設置される住宅用分電盤に関するものである。
【背景技術】
【０００２】
従来から、分電盤として、交流５０Ｈｚまたは６０Ｈｚの単相２線式１００Ｖもしくは単相３線式１００／２００Ｖの電路において、主に住宅などの引込口装置として使用する住宅用分電盤（住宅盤ともいう）が提供されている。
【０００３】
この種の分電盤は、主幹ブレーカ（主開閉器）や、主幹ブレーカの二次側に接続された主幹電路（母線）から分岐して電気機器に電力を供給する分岐電路（分岐線）にそれぞれ設けられるとともに所定の配列方向に沿って並べられた複数列の分岐ブレーカ（分岐開閉器）などの内部機器と、当該内部機器が収納される（組み込まれる）キャビネットとで構成されている。
【０００４】
ところで、近年では、分岐ブレーカに流れる（分岐ブレーカを介して電気機器に供給される）電流値を検出する電流センサを備える分電盤が提案されている（例えば、特許文献１参照）。この特許文献１に示すものは、キャビネット内に、複数の分岐ブレーカそれぞれの電流を検出する変流器からなる電流センサが設けられており、各電流センサは、個別の出力線を用いて通電表示ブロック（通電表示部）に接続されている。この通電表示ブロックには、各電流センサの出力電流により点灯する発光ダイオード（ＬＥＤ）が設けられており、これによって分岐ブレーカの通電状態の表示が行えるようになっている。なお、特許文献２には、電流センサとしてロゴスキコイルを利用したものが開示されている。
【特許文献１】特許第２９９１８７５号公報
【特許文献２】特開２００７−２２８７３４号公報
【発明の開示】
【発明が解決しようとする課題】
【０００５】
ところで、このような分電盤のキャビネットは、分岐ブレーカの上記配列方向を左右方向に沿わせた形で壁などの造営材の天井付近に取り付けられるため、使用者が分電盤の分岐ブレーカを視認する際には、分岐ブレーカを下から見上げる形となる。
【０００６】
ここで、特許文献１に示すものでは、各分岐ブレーカと対応付けが行い易いように上下に２列並んだ分岐ブレーカの間に通電表示ブロックが設けられている。そのため、例えば分岐ブレーカの操作ハンドルの状態を確認するために分岐ブレーカを視認しようとした場合に、下側の分岐ブレーカについては特に問題なく視認することが可能であるが、上側の分岐ブレーカについては、その下側に各分岐ブレーカと対応付けが行い易いように通電表示ブロックが配置されているために、通電表示ブロックによって視界が遮られて、視認し難くなるという問題があった。
【０００７】
そのため、上側の分岐ブレーカを視認しようとした際には、例えば、椅子や脚立などを利用する必要があり、このような場合、椅子や脚立などを用意するという手間がかかり、しかも使用者が椅子や脚立の上から落下してしまうという危険性もあった。
【０００８】
本発明は上述の点に鑑みて為されたもので、その目的は、分岐ブレーカの通電状態の表示が行える上に、分岐ブレーカを視認し易くすることができる分電盤を提供することにある。
【課題を解決するための手段】
【０００９】
上述の課題を解決するために、請求項１の発明では、主幹ブレーカと、主幹ブレーカの二次側に接続された主幹電路から分岐して電気機器に電力を供給する分岐電路に個別に設けられるとともに所定の配列方向に沿って並べられた複数の分岐ブレーカと、分岐ブレーカを介して電気機器に供給される電流値を複数の分岐ブレーカ毎に計測する計測手段と、複数の分岐ブレーカそれぞれの通電状態の表示に用いられる複数の表示灯をケースに収納してなる通電表示部と、計測手段で得られた各電流値に基づいて複数の表示灯それぞれの点灯制御を行う制御部とがキャビネットに収納され、キャビネットは、上記配列方向を左右方向に沿わせた形で造営材に取り付けられ、通電表示部は、キャビネット内において分岐ブレーカの下側に配置され、通電表示部のケースの上側面は、前方にいくほど下側面との距離が短くなる形に傾斜した傾斜面からなることを特徴とする。
【００１０】
請求項１の発明によれば、分岐ブレーカの下側に配置された通電表示部によって分岐ブレーカの通電状態を表示することができ、その上、通電表示部のケースの上側面が、前方にいくほど下側面との距離が短くなる形に傾斜しているので、通電表示部のケースの上側面が傾斜しておらずまっすぐ前方にのびている場合に比べれば、下側から分岐ブレーカを見上げた際に、通電表示部によって視界が遮られ難くなるから、分岐ブレーカを視認し易くすることができる。
【発明の効果】
【００１１】
本発明は、分岐ブレーカの通電状態の表示が行える上に、分岐ブレーカを視認し易くすることができるという効果を奏する。
【発明を実施するための最良の形態】
【００１２】
本発明の一実施形態の分電盤は、いわゆる住宅用分電盤であって、図１〜図９に示すように、主幹ブレーカ１と、主幹ブレーカ１の二次側に接続された主幹電路１０から分岐して図示しない電気機器（例えば、洗濯機やテレビなどの家電機器）に電力を供給する分岐電路１１にそれぞれ設けられた複数（図示例では３４個）の分岐ブレーカ２と、主幹ブレーカ１を介して主幹電路１０に供給される電流値を計測する主幹用電流センサ（図示せず）と、分岐ブレーカ２を介して電気機器に供給される電流値を複数の分岐ブレーカ２毎に計測する分岐用電流センサ３と、主幹用電流センサおよび分岐用電流センサ３で得られた電流値に基づいて主幹ブレーカ１および複数の分岐ブレーカ２それぞれの通電状態を表示する通電表示部４とがキャビネット９内に収納されている。
【００１３】
主幹ブレーカ１は、柱上トランス（図示せず）から住戸に引き込まれた低圧配電線１００の電圧極１０１，１０２に接続される電源側端子１ａ，１ｂおよび中性極１０３に接続される電源側端子１ｃと、電圧極１０１，１０２に接続される電源側端子１ａ，１ｂに各別に対応して電圧極となる２つの負荷側端子（図示せず）と、中性極１０３に接続される電源側端子１ｃに対応して中性極となる負荷側端子（図示せず）とを備えている。また、主幹ブレーカ１は、電源側端子（すなわち一次側の端子）１ａ〜１ｃとそれぞれ対応する負荷側端子（すなわち二次側の端子）との間の通電をオンオフする開閉機構（図示せず）を内部に備えており、当該開閉機構のオンオフ操作用の操作ハンドル１ｄが前面に露設されている。また、主幹ブレーカ１は、電源側端子１ａ〜１ｃと負荷側端子との間に過電流（過負荷電流や短絡電流）が流れたり、漏電電流が生じたりした際（つまり異常電流が発生した際）に、これらの間を遮断するとともに、操作ハンドル１ｄをオフ側に位置させる回路遮断機能を備えている。
【００１４】
さらに、主幹ブレーカ１には、負荷側端子に流れる電流を検出する上述の主幹用電流センサが収納されており、主幹ブレーカ１の前面側には、主幹ブレーカ１を介して主幹電路１０に供給される電流値（主幹ブレーカ１の電流値）を主幹用電流センサから取り出すための出力端子部（図示せず）が設けられている。
【００１５】
また、主幹ブレーカ１の前面側には、異常が生じたことを表示するための状態表示部１ｅが設けられており、例えば、通常時であれば状態表示部１ｅの色が白色、異常時には状態表示部１ｅの色が黄色となるようにしてあり、これによって異常が生じたことを表示する。加えて、主幹ブレーカ１の前面側には、主幹ブレーカ１が正常に動作するか否かをテストするためのテストボタン１ｆが設けられている。なお、このような状態表示部１ｅやテストボタン１ｆは周知のものであるから詳細な説明は省略する。また、図２では、電源側端子１ａ〜１ｃ、状態表示部１ｅ、およびテストボタン１ｆの図示を省略している。
【００１６】
ところで、キャビネット９内には、複数の分岐ブレーカ２を接続可能な分岐ブロック６が収納される。
【００１７】
分岐ブロック６は、図１〜図４に示すように、主幹ブレーカ１の電圧極となる負荷側端子それぞれに長手方向一端側（図１（ａ）における左端側）が電気的に接続された一対の導電バー６０と、主幹ブレーカ１の中性極となる負荷側端子に長手方向一端側（図１（ａ）における左端側）が電気的に接続された長尺状の導電バー６１と、センサブロック６２とを、絶縁性を有する樹脂材料などにより長方形の板状に形成されたベース６３に備えて構成されている。
【００１８】
一対の導電バー６０は、長手方向一端側が主幹ブレーカ１の一対の電圧極の負荷側端子それぞれと電気的に接続されることで、電圧極として用いられるものである。このような導電バー６０は、例えば金属板により、ベース６３の短手方向における略半分を占める大きさの長方形の板状に形成されており、その短手方向一端側の縁部には分岐ブレーカ２を接続するための接続部となる複数（本実施形態では１８）の分岐用導電バー６０ａが突設されている。ここで、分岐用導電バー６０ａは、導電バー６０の長手方向に沿って列設されており、これによって、複数の分岐ブレーカ２を分岐ブロック６に、導電バー６０の長手方向（図１（ａ）における左右方向）に沿って並ぶ形で接続できるようにしている。
【００１９】
導電バー６１は、長手方向一端側（図１（ａ）における左端側）が主幹ブレーカ２の中性極の負荷側端子と電気的に接続されることで中性極として用いられるものであり、例えば金属板により長尺板状に形成されており、その短手方向両縁部が、分岐ブレーカ２を接続するための接続部として用いられる。このような導電バー６１は、ベース６３の長手方向両端側の中央部それぞれに前方に向けて突設された角柱状の支持ポスト６３ａ間に架設される。
【００２０】
これら導電バー６０，６１は、主幹ブレーカ１の各負荷側端子に個別に電気的に接続される。したがって、本実施形態の分電盤では、導電バー６０，６１によって、主幹電路（母線）１０と、各主幹電路１０から分岐する複数の分岐電路（分岐線）１１とが構成されている。そして、主幹電路１０および分岐電路１１を構成する導電バー６０，６１は、いずれもその幅、厚みなどが、主幹ブレーカ１の最大定格電流に合わせた最大電流容量を有するように設定されている。
【００２１】
分岐ブロック６には、図３（ｂ）に示すように、予期せずに分岐ブレーカ２が導電バー６０，６１から外れてしまうことを防止するための係止部材６４が設けられている。係止部材６４は、絶縁性を有する軟質樹脂材料により平板状に形成されており、後面側における短手方向（幅方向、図３（ｂ）における上下方向）の両端部には、図１（ｂ）に示すように、後述する分岐ブレーカ２の係止突部２ｄが嵌め込まれる係止孔部６４ａが形成されている。
【００２２】
センサブロック６２は、図５および図６に示すように、長尺板状のプリント基板６２ａを用いて形成されており、一方の導電バー６０の分岐用導電バー６０ａが各別に挿通される複数（図示例では１８個）の丸孔状の第１挿通孔６２ｂと、他方の導電バー６０の分岐用導電バー６０ａが各別に挿通される複数（図示例では１８個）の角孔状の第２挿通孔６２ｃと、複数の第１挿通孔６２ｂそれぞれに対応する形に設けられている。
【００２３】
また、センサブロック６２は、第１挿通孔６２ｂを挿通した分岐用導電バー６０ａに流れる電流を検出する分岐用電流センサ３（図２参照）と、分岐用電流センサ３の検出出力に基づいて分岐ブレーカ２の電流値（分岐ブレーカ２を介して電気機器に供給される電流値）を算出するセンサユニット６２ｄと、出力端子部（図示せず）とを備えている。
【００２４】
分岐用電流センサ３は、プリント基板６２ａにおいて各第１挿通孔６２ｂの周辺部に、第１挿通孔６２ｂを囲繞するように形成されたコイル線路（図示せず）からなるロゴスキコイルを有する電流センサであり、電流の微分形を検出出力として出力するものである。このコイル線路は、プリント基板６２ａにおける第１挿通孔６２ｂの周辺部に設けたスルーホール（図示せず）を介してプリント基板６２ａの表裏それぞれに形成された導電パターン（図示せず）を電気的に接続してなるものである。このようなコイル線路からなるロゴスキコイルは、従来周知のものであるから、本実施形態では詳細な説明を省略する。
【００２５】
センサユニット６２ｄは、接続されている分岐用電流センサ３の検出出力を元にして当該分岐用電流センサ３の計測対象の分岐ブレーカ２の電流値（分岐ブレーカ２を介して電気機器に供給される電流値）を算出する機能と、後述するトリガ信号を受信した際に分岐ブレーカ２の電流値を出力する機能とを有している。本実施形態において、複数のセンサユニット６２ｄは鎖状に接続されているので、センサユニット６２ｄは、分岐ブレーカ２の電流値を出力した後に、後段のセンサユニット６２ｄにトリガ信号を送信するようになっている。そのため、最初のセンサユニット６２ｄにトリガ信号を与えた後は、前段のセンサユニット６２ｄから後段のセンサユニット６２ｄにトリガ信号が送られ、各センサユニット６２ｄから順番に分岐ブレーカ２の電流値が出力される。
【００２６】
このようなセンサユニット６２ｄは、例えばＣＰＵなどを含む電子部品をＩＣ化（集積化）して構成されており、プリント基板６２ａに実装されている。また、センサブロック６２は、その表面を覆う絶縁カバー６２ｆを備えており、これによって、プリント基板６２ａに実装される分岐用電流センサ３や、センサユニット６２ｄなどの導電部分と、導電バー６０，６１との間の絶縁性の確保を図っている。
【００２７】
分岐ブレーカ２は、導電バー６０に設けられた分岐用導電バー６０ａあるいは導電バー６１の幅方向の縁部と接続される複数（３つ）の電源側接続部２ａ（図１（ｂ）参照）と、電気機器（負荷）の電源線（図示せず）が接続される負荷側接続部２ｂ（図３参照）とを備えている。なお、３つの電源側接続部２ａのうち実際に使用されるのは２つだけである。
【００２８】
この分岐ブレーカ２の内部には、電源側接続部２ａと負荷側接続部２ｂとの間の通電をオンオフする開閉機構（図示せず）が収納されており、この開閉機構のオンオフ用の操作ハンドル２ｃが分岐ブレーカ２の前面中央部に露設されている。また、分岐ブレーカ２は、電源側接続部２ａと負荷側接続部２ｂとの間に過電流が流れたり、漏電が生じたりした際（つまり異常時）に、これらの間を遮断するとともに、操作ハンドル２ｃをオフ側に位置させる回路遮断機能を備えている。また、分岐ブレーカ２の前面側には前述の係止突部２ｄが設けられている。
【００２９】
通電表示部４は、主幹用電流センサおよび分岐用電流センサ３それぞれからデータ（主幹ブレーカ１の電流値および分岐ブレーカ２の電流値）を受け取る計測制御ユニット７と、主幹ブレーカ１および複数の分岐ブレーカ２それぞれの通電状態の表示に用いられる複数の表示灯８０，８１をケース８ａに収納してなる通電表示部たる表示ユニット８とで構成されている。
【００３０】
表示ユニット８のケース８ａは、図３（ａ），（ｂ）に示すように、後面が開口した長尺箱状に形成されており、ケース８ａ内には長尺状のプリント基板Ｐが収納されている。このプリント基板Ｐには、複数（本実施形態では３個）の表示灯（以下、「主幹用表示灯」と称する）８０と、複数の分岐ブレーカ２と一対一で対応する形に設けられた複数（本実施形態では分岐ブレーカ２の数と同数の３４個）の表示灯（以下、「分岐用表示灯」と称する）８１と、聴覚的な報知を行うため（警報用）のブザー８２と、主幹用表示灯８０、分岐用表示灯８１およびブザー８２の制御を行う駆動回路部８３とが実装されている。
【００３１】
ところで、ケース８ａの前面には、主幹用表示灯８０および分岐用表示灯８１それぞれから放射された光を外部に出射させる矩形状の複数の開孔８ｂが設けられている。また、図１（ｂ）に示すように、ケース８ａの上側面８ｃは、前方にいくほど下側面８ｄとの距離が短くなる形に傾斜した傾斜面からなり、また下側面８ｄも前方にいくほど上側面８ｃとの距離が短くなる形に傾斜した傾斜面からなる。そのため、ケース８ａの長手方向に直交する面内における断面形状は略台形となっている。そして、下側面８ｄにおける長手方向一端側（図２（ａ））には、ブザー８２用の音孔８ｄが設けられている。
【００３２】
以下の説明では、複数の主幹用表示灯８０を区別するために、必要に応じて、複数の主幹用表示灯８０を符号８０Ａ〜８０Ｃで表し、複数の分岐用表示灯８１を区別するために、必要に応じて、複数の分岐用表示灯８１を符号８１Ａ１〜８１Ａ１８，８１Ｂ１〜８１Ｂ１６で表す。なお、分岐用表示灯８１と分岐ブレーカ２の符号において、対応関係にあるものには、同じ添え字を付している。例えば、添え字がＡ１である分岐用表示灯８１は、分岐ブレーカ２Ａ１の通電状態の表示に用いられることを示している。なお、図面では、符号２（２Ａ１〜２Ａ１８，２Ｂ１〜２Ｂ１６）、８０（８０Ａ〜８０Ｃ）、８１（８１Ａ１〜８１Ａ１８，８１Ｂ１〜８１Ｂ１６）の一部を省略している。
【００３３】
プリント基板Ｐの長手方向一端側（図１（ａ）における左端側）には、複数の主幹用表示灯８０Ａ〜８０Ｃがプリント基板Ｐの短手方向（図１（ａ）における上下方向）に沿って等間隔で実装されている。また、プリント基板Ｐの短手方向一端側（図１（ａ）における上端側）の縁部には、１８個の分岐用表示灯８１Ａ１〜８１Ａ１８がプリント基板Ｐの長手方向に沿って等間隔で実装され、プリント基板Ｐの短手方向他端側（図１（ａ）における下端側）の縁部には、１６個の分岐用表示灯８１Ｂ１〜８１Ｂ１６がプリント基板Ｐの長手方向に沿って等間隔で実装されている。
【００３４】
さらに、プリント基板Ｐの短手方向一端側の縁部に列設された１８個の分岐用表示灯８１Ａ１〜８１Ａ１８のうち主幹用表示灯８０側から数えて１番目〜１６番目の分岐用表示灯８１（すなわち分岐用表示灯８１Ａ１〜８１Ａ１６）までは、プリント基板Ｐの短手方向他端側の縁部に列設された分岐用表示灯８１Ｂ１〜８１Ｂ１６とプリント基板Ｐの短手方向に沿って並んでいる。
【００３５】
ところで、プリント基板Ｐの長手方向に沿った方向における分岐用表示灯８１間の間隔は、分岐ブレーカ２間の間隔と等しくしてあり、また、主幹用表示灯８０と分岐用表示灯８１との間隔も分岐ブレーカ２間の間隔と等しくしている。さらに、プリント基板Ｐの短手方向における分岐用表示灯８１間の間隔は、主幹用表示灯８０Ａ，８０Ｃ間の間隔と等しくしている。
【００３６】
このような表示ユニット８を図１に示すように係止部材６４の前面側、つまり上段側の一列の分岐ブレーカ２Ａ１〜２Ａ１８と、後段側の一列の分岐ブレーカ２Ｂ１〜２Ｂ１６との間に配置することによって、分岐用表示灯８１Ａ１〜８１Ａ１８それぞれが、分岐ブレーカ２Ａ１〜２Ａ１８それぞれの近傍（図１における下方）に位置し、分岐用表示灯８１Ｂ１〜８１Ｂ１６それぞれが、分岐ブレーカ２Ｂ１〜２Ｂ１６それぞれの近傍（図１における上方）に位置することになり、分岐用表示灯８１を見ることによって、対応する分岐ブレーカ２の通電状態を把握することができる。主幹用表示灯８０は、最も主幹ブレーカ１に近い分岐ブレーカ２と主幹ブレーカ１との間に配置されるから、主幹用表示灯８０を分岐用表示灯８１と誤認してしまうこともない。
【００３７】
ここで、表示ユニット８は、上段側の分岐ブレーカ２Ａ１〜２Ａ１８より下側に位置しているが、表示ユニット８のケース８ａの上側面８ｃは前方にいくほど下側面８ｄとの距離が短くなる形に傾斜しているので、表示ユニット８のケース８ａの上側面８ｃが傾斜しておらずまっすぐ前方にのびている場合に比べれば、下側から分岐ブレーカ２Ａ１〜２Ａ１８を見上げた際に、表示ユニット８によって視界が遮られ難くなる。
【００３８】
また、見栄えの問題から隠す必要がある係止部材６４を覆うように表示ユニット８を配置しているから、キャビネット９内のスペースを有効利用することができて、表示ユニット８を配置するにあたってキャビネット９を大型化しなくて済む。
【００３９】
本実施形態の分電盤では、主幹用表示灯８０および分岐用表示灯８１として発光ダイオード（ＬＥＤ）を採用しており、特に主幹用表示灯８０はそれぞれ光色が異なるＬＥＤを使用している。例えば、主幹用表示灯８０Ａとしては、橙色の光を放射するＬＥＤを使用し、主幹用表示灯８０Ｂとしては、黄緑色の光を放射するＬＥＤを使用し、主幹用表示灯８０Ｃとしては、緑色の光を放射するＬＥＤを使用している。また、分岐用表示灯８１としては、赤色の光を放射するＬＥＤを使用している。ただし、上記の例はあくまでも一例であって、これに限定する趣旨ではなく、適宜変更すればよい。
【００４０】
駆動回路部８３は、例えばＣＰＵを備えた集積回路からなり、主幹用表示灯８０および分岐用表示灯８１ならびにブザー８２に電力を供給することで、主幹用表示灯８０および分岐用表示灯８１の点灯状態（例えば、点灯、消灯、点滅など）の変更や、ブザー８２の鳴動を行う。
【００４１】
駆動回路部８３は、計測制御ユニット７から出力される制御データに基づいて、主幹用表示灯８０や分岐用表示灯８１の点灯、ブザー８２の鳴動などを行うようになっている。したがって、本実施形態では、計測制御ユニット７が、計測手段で得られた各電流値に基づいて複数の表示灯８０，８１それぞれの点灯制御を行う制御部としての役割を果たす。
【００４２】
このような計測制御ユニット７は、例えば絶縁性を有する樹脂材料からなる器体７ａを有しており、この器体７ａは、分岐ブレーカ２を幅方向（短手方向）に二つ並べた程度の大きさに形成されている。この器体７ａの長手方向一端側の側壁部には、導電バー６０に設けられた分岐用導電バー６０ａあるいは導電バー６１の幅方向の縁部と接続される端子部７ｂと、センサブロック６２との接続に用いられるセンサ用接続部（図示せず）とが設けられている。また、器体７ａの長手方向他端側の側壁部には、主幹ブレーカ１の出力端子部あるいは表示ユニット８に接続される端子部７ｃが形成されている。また、器体７ａには、分岐ブレーカ２と同様に、係止部材６４の係止孔部６４ａに嵌め込まれる係止突部７ｄが設けられている。
【００４３】
器体７ａの内部には、図示しないプリント基板が収納されており、このプリント基板には、種々の電子部品が実装されて、主幹用電流センサおよび分岐用電流センサ３から電流値（主幹ブレーカ１の電流値あるいは分起ブレーカ２の電流値）を収集するデータ収集部７０と、不揮発性のメモリからなりデータ収集部７０で収集した各電流値などが格納される記憶部７１と、データ収集部７０で収集した電流値に基づいて表示ユニット８の制御データを生成する演算処理部７２と、演算処理部７２で生成された制御データを表示ユニット８に出力する出力部７３と、分岐ブレーカ２の設定変更などを行うための操作入力部７４とが構成されている。なお、計測制御ユニット７は、データ収集部７０で収集した各電流値などのデータを外部の機器（例えば、消費電力などを計数する機器）に出力する機能を備えていてもよい。
【００４４】
操作入力部７４は、計測制御ユニット７における各種設定を変更するためのものであって、設定スイッチ７４ａと、送りスイッチ７４ｂと、切換スイッチ７４ｃと、ブザー８２の音量調整用スイッチ７４ｄと、主幹ブレーカ１の定格電流設定用スイッチ７４ｅとを備え、これらのスイッチ７４ａ〜７４ｅは、いずれも器体７ａの前面に露設されている。なお、上記の例はあくまでも一例であって操作入力部７４の構成を上記の例に限定する趣旨ではない。
【００４５】
データ収集部７０は、前述したトリガ信号を出力することで、センサユニット６２ｄから分岐ブレーカ２の電流値を収集する。また、データ収集部７０は、計測制御ユニット７に接続された主幹ブレーカ１の主幹用電流センサより主幹ブレーカ１の電流値を収集する。したがって、本実施形態の分電盤では、主幹用電流センサと、複数の分岐用電流センサ３とによって、主幹ブレーカ１を介して主幹電路１０に供給される電流値を計測するとともに分岐ブレーカ２を介して電気機器に供給される電流値を複数の分岐ブレーカ２毎に計測する計測手段が構成されている。
【００４６】
ここで、計測制御ユニット７は、図２に示すような伝送路Ｌによって、センサブロック６２の各センサユニット６２ｄと接続されている。ここで、伝送路Ｌは、計測制御ユニット７に複数のセンサユニット６２ｄを、トリガ用伝送線Ｌ１とデータ用伝送線Ｌ２とグラウンド線Ｌ３との３線を用いて接続するものであり、トリガ用伝送線Ｌ１は、データ収集部７０が出力するトリガ信号を複数のセンサユニット６２ｄに順に伝送するためのものであり、このトリガ用伝送線Ｌ１によって複数のセンサユニット６２ｄはデータ収集部７０に鎖状に接続される。データ用伝送線Ｌ２は、各センサユニット６２ｄが出力する電流値をデータ収集部７０に伝送するためのものである。グラウンド線Ｌ３は、計測制御ユニット７や各センサユニット６２ｄなどにおいてトリガ用伝送線Ｌ１およびデータ用伝送線Ｌ２の電圧基準として用いられるものである。なお、グラウンド線Ｌ３については図面の簡略化のためにセンサユニット６２ｄとの接続部分の図示は省略している。
【００４７】
演算処理部７２は、データ収集部７０で収集した主幹ブレーカ１の電流値および各分岐ブレーカ２の電流値に基づいて、主幹ブレーカ１の通電状態および各分岐ブレーカ２の通電状態を表示ユニット８に表示させるために制御データを作成する。
【００４８】
ここで、制御データは次のようにして作成される。まず、演算処理部７２は、データ収集部７０より主幹ブレーカ１の電流値および各分岐ブレーカ２の電流値を得ると、それぞれの電流値から定格電流に対する割合（本実施形態では百分率とする）を算出する。次に、演算処理部７２は、算出した各割合の大きさに応じて、主幹用表示灯８０および分岐用表示灯８１の点灯状態を決定する。
【００４９】
例えば、演算処理部７２は、主幹ブレーカ１の電流値がその定格電流値の５％以下であれば、主幹ブレーカ１には電流が流れていないと判定し、主幹用表示灯８０Ａ〜８０Ｃの全てを消灯する旨の制御データを作成する。逆に、主幹ブレーカ１の電流値がその定格電流値の５％超過であれば、主幹ブレーカ１は通電状態にあると判定する。このとき、主幹ブレーカ１の電流値がその定格電流値の５％超過２０％以下、２０％超過８０％以下、８０％超過１００％以下、１００％超過であるかによって、主幹用表示灯８０Ａ〜８０Ｃの点灯状態の組み合わせを異ならせるようにしている。例えば、演算処理部７２は、主幹ブレーカ１の電流値がその定格電流値の５％超過２０％以下であれば、主幹用表示灯８０Ｃを点灯させる旨の制御データを作成し、２０％超過８０％以下であれば、主幹用表示灯８０Ｂ，８０Ｃの両方を点灯させる旨の制御データを作成し、８０％超過１００％以下であれば、主幹用表示灯８０Ａ〜８０Ｃの全てを点灯させる旨の制御データを作成し、１００％超過（つまり過電流状態）であれば主幹用表示灯８０Ａ〜８０Ｃの全てを点滅させる旨の制御データを作成する。
【００５０】
一方、演算処理部７２は、分岐ブレーカ２の電流値がその定格電流値の５％以下であれば、分岐ブレーカ２には電流が流れていないと判定し、この分岐ブレーカ２に対応する分岐用表示灯８１を消灯する旨の制御データを作成する。逆に、分岐ブレーカ２の電流値がその定格電流値の５％超過であれば、主幹ブレーカ１は通電状態にあると判定し、このとき、主幹ブレーカ１の電流値がその定格電流値の５％超過１００％以下であれば、対応する分岐用表示灯８１を点灯させる旨の制御データを作成し、１００％超過（つまり過電流状態）となれば、対応する分岐用表示灯８１を点滅させる旨の制御データを作成する。このような判定は、全ての分岐ブレーカ２について行われる。
【００５１】
つまり、演算処理部７２は、分岐用電流センサ３で得られた分岐ブレーカ２の電流値が当該分岐ブレーカ２の定格電流値以下の所定の閾値（上記の例では定格電流値の５％となる閾値）より小さい場合には当該分岐ブレーカ２を介して電気機器に電流が供給されていない非通電状態と判定し、上記所定の閾値より大きい場合には当該分岐ブレーカ２を介して電気機器に電流が供給されている通電状態と判定し、非通電状態と判定したとき（分岐ブレーカ２の電流値が定格電流値の５％以下であるとき）と通電状態と判定したとき（分岐ブレーカ２の電流値が定格電流値の５％超過であるとき）とで、分岐用表示灯８１の点灯状態を異ならせる通電表示機能を有している。
【００５２】
ところで、演算処理部７２は、主幹用表示灯８０と分岐用表示灯８１の点灯制御のための制御データの他に、ブザー８２の鳴動制御のための制御データを作成する。
【００５３】
例えば、演算処理部７２は、分岐ブレーカ２の電流値がその定格電流値の１００％超過１１０％未満であれば、３分間隔でブザー８２を鳴動させる旨の制御データを作成し、１１０％以上１２０％未満であれば、１０秒間隔でブザー８２を鳴動させる旨の制御データを作成し、１２０％以上であれば、５秒間隔でブザー８２を鳴動させる旨の制御データを作成する。このようにブザー８２に関する制御データを作成するにあたっては、ブザー８２の音量を示すデータが制御データに付加される。ブザー８２の音量を示すデータは、操作入力部７４の音量調整用スイッチ７４ｄにより選択（例えば、「大」、「小」、「切」の選択）される（「切」は鳴動させないことを示す）。なお、音量調整用スイッチ７４ｄに、ボリュームなどを用いることで、さらに多段階の音量調整を可能としてもよい。
【００５４】
上述した計測制御ユニット７は、上記の動作（通常モードでの動作）に加えて、省エネルギモードでの動作が可能になっている。省エネルギモードと通常モードとの切り換えは、操作入力部７４の切換スイッチ７４ｃにて行う。
【００５５】
この省エネルギモードでは、演算処理部７２は、通常モードと同様に、データ収集部７０より主幹ブレーカ１の電流値および各分岐ブレーカ２の電流値を得ると、それぞれの電流値から定格電流に対する割合（本実施形態では百分率とする）を算出する。
【００５６】
その結果、演算処理部７２は、主幹ブレーカ１の電流値がその定格電流値の１００％以下であれば、主幹用表示灯８０Ａ〜８０Ｃの全てを消灯する旨の制御データを作成し、定格電流値の１００％超過であれば、主幹用表示灯８０Ａ〜８０Ｃの全てを点滅させる旨の制御データを作成する。つまり、主幹ブレーカ１の電流値がその定格電流値の１００％超過となるまでは、主幹用表示灯８０が点灯しないから、通常モードに比べて消費電力が低減される。
【００５７】
また、演算処理部７２は、分岐ブレーカ２の電流値がその定格電流値の１００％以下であれば、この分岐ブレーカ２に対応する分岐用表示灯８１を消灯する旨の制御データを作成し、１００％超過となれば、対応する分岐用表示灯８１を点滅させる旨の制御データを作成する。つまり、分岐ブレーカ２の電流値がその定格電流値の１００％超過となるまでは、分岐用表示灯８１が点灯せず、分岐ブレーカ２が通電しているか否かの表示を行わない（つまり、通電表示機能を実行しない）ことで、通常モードに比べて消費電力の低減を図っている。したがって、切換スイッチ７４ｃが、上記通電表示機能を使用するか否かを決定する決定手段となる。
【００５８】
ところで、計測制御ユニット７では、主幹ブレーカ１の定格電流値は、操作入力部７４の定格電流設定用スイッチ７４ｅにより設定可能となっている。この定格電流設定用スイッチ７４ｅとしては、例えばボリュームなどが用いられ、演算処理部７２は、主幹ブレーカ１の定格電流値を、定格電流設定用スイッチ７４ｅの回動位置に応じた値（例えば、３０Ａ〜１００Ａの範囲）に設定する。
【００５９】
また、計測制御ユニット７では、演算処理部７２は、上述の通常モードと、省エネルギモードに加えて、分岐ブレーカ２の定格電流値の大きさを変更する定格電流設定モードと、分岐ブレーカ２の定格電圧値の大きさを変更する定格電圧設定モードとを有している。
【００６０】
上述の通常モードあるいは省エネルギモードから定格電流設定モードや、定格電圧設定モードへの移行は、操作入力部７４の設定スイッチ７４ａにより行えるようになっている。本実施形態の場合、設定スイッチ７４ａを約３秒間押し続けることによって、演算処理部７２が定格電流設定モードに移行し、設定スイッチ７４ａを約５秒間押し続けることによって、演算処理部７４が定格電圧設定モードに移行する。なお、演算処理部７２は、定格電流設定モードに移行する際に、ブザー８２を１回だけ鳴動させ、定格電圧設定モードに移行する際に、ブザー８２を２回だけ鳴動させることで、モードが切り替わったことを報知するようにしてもよい。
【００６１】
演算処理部７２は、定格電流設定モードに移行すると、送りスイッチ７４ｂの入力を待ち、送りスイッチ７４ｂが操作される毎に、定格電流値の設定対象とする分岐ブレーカ２の切り換えを行う。
【００６２】
この場合において、演算処理部７２は、送りスイッチ７４ｂによって指定された分岐ブレーカ２に対応する分岐用表示灯８１を点灯させ、他の分岐ブレーカ２に対応する分岐用表示灯８１を消灯させる旨の制御データを作成する。つまり、演算処理部７２は、送りスイッチ７４ｂで指定された分岐ブレーカ２に対応する分岐用表示灯８１の点灯状態を他の分岐用表示灯８１の点灯状態と異ならせることで、指定された分岐ブレーカ２の表示を行う。
【００６３】
また、演算処理部７２は、主幹用表示灯８０の点灯状態の組み合わせを、送りスイッチ７４ｂによって指定された分岐ブレーカ２の現在の定格電流値の大きさに対応付けられた組み合わせに設定する。このとき、演算処理部７２は、設定スイッチ７４ａが操作される毎に、所定のサイクルで定格電流値の設定を変更する。本実施形態では、分岐ブレーカ２の定格電流値としては、「１５Ａ」、「２０Ａ」、「３０Ａ」、「その他」、「太陽光」の５種類から選択できるようになっており、「１５Ａ」の場合には主幹用表示灯８０Ｃのみを点灯させ、「２０Ａ」の場合には主幹用表示灯８０Ｂのみを点灯させ、「３０Ａ」の場合には主幹用表示灯８０Ａのみを点灯させ、「その他」の場合には主幹用表示灯８０Ａ〜８０Ｃの全てを消灯させ、「太陽光」の場合には主幹用表示灯８０Ａ〜８０Ｃの全てを点灯させる旨の制御データを作成する。また、演算処理部７２は、定格電流設定モードにおいて一定時間、設定スイッチ７４ａあるいは送りスイッチ７４ｂの入力が無ければ、変更内容を記憶して、定格電流設定モードから通常モード（あるいは省エネルギモード）に復帰する。この点は、定格電圧設定モードにおいても同様である。
【００６４】
演算処理部７２は、定格電圧設定モードに移行すると、送りスイッチ７４ｂの入力を待ち、送りスイッチ７４ｂが操作される毎に、定格電圧値の設定対象とする分岐ブレーカ２の切り換えを行う。
【００６５】
この場合において、演算処理部７２は、送りスイッチ７４ｂによって指定された分岐ブレーカ２に対応する分岐用表示灯８１を消灯させ、他の分岐ブレーカ２に対応する分岐用表示灯８１を点灯させる旨の制御データを作成する。つまり、演算処理部７２は、定格電流設定モードと同様に、送りスイッチ７４ｂで指定された分岐ブレーカ２に対応する分岐用表示灯８１の点灯状態を他の分岐用表示灯８１の点灯状態と異ならせることで、指定された分岐ブレーカ２の表示を行うが、定格電流設定モード時と定格電圧設定モード時とでは、送りスイッチ７４ｂで指定された分岐ブレーカ２に対応する分岐用表示灯８１の点灯状態と他の分岐用表示灯８１の点灯状態との組み合わせを異ならせており、これによって、定格電流設定モード時と定格電圧設定モード時とを容易に見分けることができるようにしている。
【００６６】
また、演算処理部７２は、主幹用表示灯８０の点灯状態の組み合わせを、送りスイッチ７４ｂによって指定された分岐ブレーカ２の現在の定格電圧値の大きさに対応付けられた組み合わせに設定する。このとき、演算処理部７２は、設定スイッチ７４ａが操作される毎に、所定のサイクルで定格電圧値の設定を変更する。本実施形態では、分岐ブレーカ２の定格電圧値としては、「１００Ｖ」、「２００Ｖ」の２種類から選択できるようになっており、「１００Ｖ」の場合には主幹用表示灯８０Ａ〜８０Ｃの全てを点灯させ、「２００Ｖ」の場合には主幹用表示灯８０Ａ〜８０Ｃの全てを点滅させる旨の制御データを作成する。
【００６７】
上記構成から明らかなように本実施形態の分電盤では、送りスイッチ７４ｂが、複数の分岐ブレーカ２のなかから定格電流値あるいは定格電圧値の大きさを変更する分岐ブレーカ２を指定する指定手段を構成し、設定スイッチ７４ａが、定格電流設定モードと定格電圧設定モードとのいずれに移行するかを選択する選択手段と、送りスイッチ７４ｂで指定された分岐ブレーカ２の定格電流値または定格電圧値の大きさを変更する変更手段とを兼ねている。
【００６８】
キャビネット９は、例えば、分岐ブレーカ２の配列方向（ボックス９０の長手方向）を左右方向に沿わせるとともに、分岐ブレーカ２Ａ１〜２Ａ１８が上側、分岐ブレーカ２Ｂ１〜２Ｂ１６が下側に位置した形で壁などの造営材（図示せず）の天井付近に取り付けられる。
【００６９】
このキャビネット９は、前面が開口された直方体の箱状のボックス９０を有しており、ボックス９０内には、図３および図４に示すように、上述した主幹ブレーカ１、複数の分岐ブレーカ２、分岐ブロック６、計測制御ユニット７、表示ユニット８が収納される。このとき、表示ユニット８は、上述したように係止部材６４の前面を覆う形に配置されており、これによって、分岐ブレーカ２と、当該分岐ブレーカ２の通電状態の表示に使用される分岐用表示灯８１とが近接して配置される。
【００７０】
このように各部材が収納されたボックス９０には、図１に示すように、中蓋９１が取り付けられる。
【００７１】
中蓋９１は、主幹ブレーカ１や分岐ブレーカ２、分岐ブロック６などにおける充電部分を覆う形で、ボックス９０の前面に被着される。中蓋９１には、主幹ブレーカ１の操作ハンドル１ｄ、窓部１ｅ、およびテストスイッチ１ｆを露出させる矩形状の主幹側開口部９１ａと、各分岐ブレーカ２、計測制御ユニット７、および表示ユニット８を露出させる矩形状の分岐側開口部９１ｂとが形成されており、中蓋９１をボックス９０に取り付けた状態（図７および図８に示す状態）でも、主幹ブレーカ１の操作ハンドル１ｄや、分岐ブレーカ２の操作ハンドル２ｃ、計測制御ユニット７の操作入力部７４などの操作が行え、また、表示ユニット８の主幹用表示灯８０や、分岐用表示灯８１の点灯状態を確認することができる。
【００７２】
ところで、中蓋９１の前面側における短手方向一端側（図１（ａ）における上端側）の長手方向両端部（図１（ａ）における左右方向両端部）には、後述するドア９２を取り付けるための軸部９１ｃが形成されている。この軸部９１ｃは同一の中心軸を有し、当該中心軸の方向は、中蓋９１の長手方向（ボックス９０の長手方向に等しい）となっている。
【００７３】
前述のドア９２は、ボックス９０の前面開口を閉塞できる大きさの板状に形成されており、軸部９１ｃに対応する部位には、当該軸部９１ｃをその中心軸の回りに回動自在に支持する軸受部９２ａが設けられている。したがって、ドア９２は、ボックス９０の前面開口を開閉自在にボックス９０に取り付けられる。また、ドア９２には、図９（ａ），（ｂ）に示すように、表示ユニット８に設けられた主幹用表示灯８０および分岐用表示灯８１を前面に臨ませる窓孔９２ｂが複数設けられている。
【００７４】
窓孔９２ｂは、３個の主幹用表示灯８０をまとめて外部に臨ませることが可能な程度の大きさの矩形状の開口からなり、ドア９２にその長手方向に沿って等間隔に形成されている。ここで、窓孔９２ｂ間の間隔は、プリント基板２ｂの長手方向に沿った方向における分岐用表示灯８１間の間隔（すなわち分岐ブレーカ２間の間隔）と等しくしている。したがって、ドア９２の長手方向においては、主幹用表示灯８０および分岐用表示灯８１は個別に窓孔９２ｂより外部に臨むことになる。つまり、ドア９２における窓孔９２ｂ間の部位が遮光壁として作用し、これによって、複数の主幹用表示灯８０と複数の分岐用表示灯８１とのうちいずれが発光しているのかを視認し易くなる。
【００７５】
ところで、複数の窓孔９２ｂは、ドア９２の前面に形成された長尺帯状の凹所９２ｃの底部に設けられている。この凹所９２ｃ内には、透明な樹脂材料（一例としてはアクリル樹脂）を用いた樹脂成形品からなる透光カバー９３が嵌め込まれる。なお、凹所９２ｃは、ドア９２の長手方向においてドア９２の前面を両端間に亘るような形に形成されている。ここで、透光カバー９３の表面には、ドア９２の前面側からの光（外光）を反射し、ドア９２の後面側からの光（主幹用表示灯８０および分岐用表示灯８１の光）を透過する膜が形成（あるいはフィルムが貼付）してあり、これによって、ドア９２の外側からは、窓孔９２ｂなどが見えなくなるから、美観が向上する。
【００７６】
以上述べた本実施形態の分電盤によれば、分岐ブレーカ２Ａ１〜２Ａ１８の下側に配置された表示ユニット８によって分岐ブレーカ２の通電状態を表示することができ、その上、表示ユニット８のケース８ａの上側面８ｃが、前方にいくほど下側面８ｄとの距離が短くなる形に傾斜しているので、表示ユニット８のケース８ａの上側面８ｃが傾斜しておらずまっすぐ前方にのびている場合に比べれば、下側から分岐ブレーカ２Ａ１〜２Ａ１８を見上げた際に、表示ユニット８によって視界が遮られ難くなるから、表示ユニット８より上側の分岐ブレーカ２Ａ１〜２Ａ１８を視認し易くすることができる。
【００７７】
なお、本実施形態の分電盤は、あくまでも本発明の一実施形態に過ぎないものであって、本発明を本実施形態の分電盤に限る趣旨ではなく、本発明の趣旨を逸脱しない範囲での変更は当然に行える。
【図面の簡単な説明】
【００７８】
【図１】本発明の一実施形態の分電盤においてキャビネットのドアを外した状態を示し、（ａ）は前面図、（ｂ）は同図（ａ）のＡ−Ａ線矢視断面図である。
【図２】同上の分電盤の概略説明図である。
【図３】同上のキャビネットのドアおよび中蓋を外した状態の分電盤を示し、（ａ）は前面図、（ｂ）は表示ユニットを取り付ける前の前面図である。
【図４】同上のキャビネットのドアおよび中蓋を外した状態の分電盤を示し、（ａ）は斜視図、（ｂ）は表示ユニットを取り付ける前の斜視図である。
【図５】同上におけるセンサブロックを示し、（ａ）は平面図、（ｂ）は上面図、（ｃ）は下面図、（ｄ）は同図（ａ）のＢ−Ｂ線矢視断面図、（ｅ）は側面図である。
【図６】同上におけるセンサブロックの外観図である。
【図７】同上の分電盤を示し、（ａ）はキャビネットのドアを閉じた状態の前面図、（ｂ）はキャビネットのドアを開いた状態の前面図である。
【図８】同上の分電盤を示し、（ａ）はキャビネットのドアを閉じた状態の斜視図、（ｂ）はキャビネットのドアを開いた状態の斜視図である。
【図９】同上の分電盤を示し、（ａ）は透光カバーを外した状態の前面図、（ｂ）は透光カバーを外した状態の斜視図である。
【符号の説明】
【００７９】
１    主幹ブレーカ
２（２Ａ１〜２Ａ１８，２Ｂ１〜２Ｂ１６）    分岐ブレーカ
３    分岐用電流センサ
７    計測制御ユニット（制御部）
８    表示ユニット（通電表示部）
８ａ  ケース
８ｃ  上側面
８ｄ  下側面
９    キャビネット
１０    主幹電路
１１    分岐電路
８１（８１Ａ１〜８１Ａ１８，８１Ｂ１〜８１Ｂ１６）    分岐用表示灯（表示灯）
【図１】
0004406025.tif 000002
【図２】
0004406025.tif 000003
【図３】
0004406025.tif 000004
【図４】
0004406025.tif 000005
【図５】
0004406025.tif 000006
【図６】
0004406025.tif 000007
【図７】
0004406025.tif 000008
【図８】
0004406025.tif 000009
【図９】
0004406025.tif 000010